(57)【要約】【課題】シリンジやチューブ等の先端に設けられた筒状の接続端部を接続した際に確実な連通状態を形成することができるだけでなく、管体内において流量が過剰となることを防止することができる継ぎ手装置を提供する。【解決手段】外筒９の軸心に沿って管体５を設ける。外筒９及び管体５を閉塞する閉塞部材１２を設ける。閉塞部材１２に、管体５が挿通する閉鎖孔１９を設ける。閉塞部材１２を前進方向に付勢する付勢手段１３を設ける。管体５に、後端において外筒９の底部３外方に連通し、先端において開口する複数の連通孔６を設ける。【選択図】図１
2004344547.tif 000002
【特許請求の範囲】
【請求項１】
管状の被接続物を挿入して接続可能に開口する接続部を先端に備える有底円筒状の外筒と、該外筒の軸心に沿って延設され、後端が外筒の底部外方に連通して先端が開口する管体と、前記外筒にその軸線方向に進退自在に収納されて前進位置において該外筒及び前記管体を閉塞する弾性材料による閉塞部材と、該閉塞部材における前記管体の先端に対向する位置に、該閉塞部材の後退に伴う前記管体の挿通により弾発的に開口し該管体が非挿通時には復元弾性により閉鎖状態となる閉鎖孔と、該閉塞部材を前進方向に付勢する付勢手段とを備える継ぎ手装置において、
前記管体は、棒状の本体と、該本体の後端において外筒の底部外方に連通し、該本体の先端において開口する複数の連通孔とを備えることを特徴とする継ぎ手装置。
【請求項２】
前記閉塞部材は、前記閉鎖孔を備えて前記外筒の接続部に挿脱自在に嵌合する栓部と、該栓部の後端に連設されて前記管体の周壁に液密に密着する円筒状の管体密着部とを備え、
該管体密着部の外周に、該管体密着部を前記管体に圧接する環状の圧接部材を設けたことを特徴とする請求項１記載の継ぎ手装置。
【請求項３】
前記管体は、その外径が後端に向かって次第に拡径するテーパ状に形成されていることを特徴とする請求項１又は２記載の継ぎ手装置。
【発明の詳細な説明】
【０００１】
【発明の属する技術分野】
本発明は、継ぎ手装置に関し、詳しくは、例えば、点滴の薬液流路に設けてシリンジやチューブ等を接続する継ぎ手装置に関する。
【０００２】
【従来の技術】
従来、この種の継ぎ手装置は、円筒状の外筒内部に延設された中空の管体と、外筒内部において該管体に外挿されて進退方向に摺動自在の筒状部材とを備えている（例えば、特許文献１参照）。
【０００３】
前記管体は、その先端近傍の周壁に開口する側孔が形成されており、前記筒状部材は、細管の先端部に位置するとき側孔を閉塞する。これにより、外筒の先端にシリンジのルアーテーパ部を挿着したとき、該ルアーテーパ部の先端に押圧された筒状部材が後退し、ルアーテーパ部が管体に外挿状態となって管体の側孔が開放されることで導通状態となる。また、外筒内部にはコイルスプリングが設けられており、該コイルスプリングによって後退時の筒状部材を前進方向に付勢する。これにより、外筒の先端から前記ルアーテーパ部を抜き取った際に、該コイルスプリングの付勢により筒状部材が前進し、管体の側孔が閉塞される。
【０００４】
ところで、この種の継ぎ手装置は、点滴の薬液流路に設けられるが、薬液流路に別の薬液を混入させるために例えばシリンジがそのルアーテーパ部を介して接続される。そして、シリンジのピストンを押圧操作して薬液流路に別の薬液が注入されるが、管体内への薬液の残留が多く、点滴の薬液流路に所望の量の薬液が流入されない不都合がある。
【０００５】
また、このときピストンの押圧操作を急激に行なうと、薬液の流量を適量に制限するものが何もないので、薬液流路の流量が一時的に過剰となり、点滴の薬液流路の流量が適量に維持できず、円滑な輸液に支障がでるおそれがある。
【０００６】
【特許文献１】
特開平１０−１５０７９号公報
【０００７】
【発明が解決しようとする課題】
かかる不都合を解消して、本発明は、シリンジやチューブ等の先端に設けられた筒状の接続端部を接続した際に確実な連通状態を形成することができるだけでなく、管体内への薬液の残量を小とし、また、管体内の流量が過剰となることを防止することができる継ぎ手装置を提供することを目的とする。
【０００８】
【課題を解決するための手段】
かかる目的を達成するために、本発明は、管状の被接続物を挿入して接続可能に開口する接続部を先端に備える有底円筒状の外筒と、該外筒の軸心に沿って延設され、後端が外筒の底部外方に連通して先端が開口する管体と、前記外筒にその軸線方向に進退自在に収納されて前進位置において該外筒及び前記管体を閉塞する弾性材料による閉塞部材と、該閉塞部材における前記管体の先端に対向する位置に、該閉塞部材の後退に伴う前記管体の挿通により弾発的に開口し該管体が非挿通時には復元弾性により閉鎖状態となる閉鎖孔と、該閉塞部材を前進方向に付勢する付勢手段とを備える継ぎ手装置において、前記管体は、棒状の本体と、該本体の後端において外筒の底部外方に連通し、該本体の先端において開口する複数の連通孔とを備えることを特徴とする。
【０００９】
本発明の継ぎ手装置は、例えばシリンジやチューブに備えるルアーテーパ部等の被接続物を外筒の接続部に挿入したとき、前記閉塞部材が押圧されて後退される。これに伴い、前記管体が前記閉鎖孔に挿通される。これによって、該管体の先端の開口部の閉塞が解除され、シリンジやチューブ等に連通する。そして、被接続物を前記外筒の接続部から抜き取った場合には、前記付勢手段の付勢力によって閉塞部材が前進される。これにより、閉塞部材の閉鎖孔から管体が抜け、閉塞部材が外筒を閉塞する。
【００１０】
本発明の継ぎ手装置においては、前記管体が前記複数の連通孔を備えている。これによって、該管体内部（各連通孔の内部）に残留する薬液等の量を少量とすることができ、シリンジ等を接続して管体の内部へ注入された薬液の減少を小とすることができる。
【００１１】
また、前記複数の連通孔によって、管体を流動する薬液等の流量が過剰となることが防止できる。即ち、例えば、本発明の継ぎ手装置が点滴等の輸液流路に設けられているとき、シリンジ等を本発明の継ぎ手装置に接続して別の薬液を輸液流路に注入する場合に、シリンジのピストンの押圧操作が急激に行なわれても、輸液流路への急激な薬液の流入を確実に防止でき、輸液流路への他の薬液の適量注入を極めて容易に行なうことができる。
【００１２】
なお、管体内部の薬液残留量を小とし、且つその流量を制限するために、例えば、管体を比較的細く形成することが考えられるが、管体を細く形成することによって管体の強度が低下するため、閉鎖孔への挿通時に曲がりや折れが生じるおそれがある。また、管体の外径を変更せずに、内部の流路の内径を小とすることで肉厚の管体を採用することも考えられるが、流量の異なる管体を複数製造する場合には、流量に応じて流路の内径の大小を定めなければならず、内径の管理が煩わしい。そこで、本発明は、複数の連通孔を設けることによって管体内の流量を制限するので、管体の強度低下を防止することができ、また、流量の異なる管体を複数製造する場合には、流量に応じて連通孔の数を増減させればよく、流量の異なる管体の製造が容易となる。
【００１３】
また、本発明において、前記閉塞部材は、前記閉鎖孔を備えて前記外筒の接続部に挿脱自在に嵌合する栓部と、該栓部の後端に連設されて前記管体の周壁に液密に密着する円筒状の管体密着部とを備え、該管体密着部の外周に、該管体密着部を前記管体に圧接する環状の圧接部材を設けたことを特徴とする。
【００１４】
本発明の継ぎ手装置においては、前記管体に複数の連通孔を設けることで薬液等の流量を制限している。このため、シリンジや他の輸液チューブからの流量と管体内部の流量との差が大きいと、管体の先端近傍の液圧が上昇し、管体と管体密着部との間に薬液等が侵入して液漏れが生じるおそれがある。そこで、本発明は、圧接部材を設けて密着度を増加させたので、管体と管体密着部との間への薬液等の侵入を確実に防止することができる。
【００１５】
また、本発明において、前記管体は、その外径が後端に向かって次第に拡径するテーパ状に形成されていることを特徴とする。前記閉塞部材が管体に沿って後退したとき、管体の後端側が拡径されていることによって管体密着部による管体への圧接力を増加させることができる。これにより、管体と管体密着部とが確実に密着して管体と管体密着部との間への薬液等の侵入を確実に防止することができる。
【００１６】
【発明の実施の形態】
本発明の一実施形態を図面に基づいて説明する。図１は本実施形態の継ぎ手装置を示す説明的断面図、図２は管体の断面説明図、図３は閉塞部材の栓部の説明的正面図、図４は他の閉塞部材の栓部の説明的正面図、図５は図１の継ぎ手装置の接続状態を示す説明的断面図、図６は他の実施形態の継ぎ手装置を示す説明的断面図、図７は図６の継ぎ手装置の接続状態を示す説明的断面図である。
【００１７】
本実施形態の継ぎ手装置１は、図１に示すように、３方活栓２の一つのポート３に設けられている。該ポート３には筒状の管体支持部４を介して硬質合成樹脂（例えばポリアセタール）によって形成された棒状の管体５が挿着されている。該管体５は、図１及び図２に示すように、中実の本体を軸線方向に沿って貫通して形成された複数の連通孔６を備えている。各連通孔６は、管体５の基端から前記ポート３内に連通されており、該管体５の先端において、その軸線方向に向って開口する開口部７が形成されている。
【００１８】
また、図１に示すように、前記管体支持部４の外周には、円筒状の外筒支持部８を介して外筒９が連結支持されている。該外筒９の先端には、図示しないシリンジやチューブの先端に設けられた円筒状の接続端部１０（図５参照）を挿着する挿着部１１が形成されている。
【００１９】
該外筒８の内部には、図１に示すように、ゴム製の閉塞部材１２が収納されている。該閉塞部材１２は、管体５に沿って進退自在に設けられ、外筒８内部に設けられた付勢手段としてのコイルスプリング１３によって、前進方向に付勢されている。該閉塞部材１２は、その外周に装着された後述する圧接部材１４のフランジ部１５が、外筒８の挿着部１１の内周に突設された規制凸部１６に突き当って抜け止めされている。
【００２０】
該閉塞部材１２は、図１に示すように、管体５の先端側を閉塞する栓部１７と、該栓部１７の後方に連設されて管体５の外周に密着する円筒状の管体密着部１８とによって構成されている。該閉塞部材１２の栓部１７には、図３に示すように、管体５が挿通される挿通孔１９が形成されている。該挿通孔１９は、管体５の挿通により弾発的に開口し該管体５が非挿通時には復元弾性により閉鎖状態となる閉鎖孔である。挿通孔１９は更に挿着部１１に嵌合されることで挿着部１１から押圧を受け、確実な閉鎖状態を維持する。なお、該挿通孔１９については、それ以外に例えば、図４に示すように、スリット２０を採用してもよい。該スリット２０としても、前記挿通孔１９と同様に、管体５の挿通により弾発的に開口し該管体５が非挿通時には復元弾性により閉鎖状態となる。
【００２１】
また、図１に示すように、前記管体密着部１８の外周には、金属製の圧接部材１４が装着されている。圧接部材１４は、管体密着部１８の外周全周を締め付けており、管体密着部１８を管体５に押し当てて密着させている。更に、圧接部材１４には、栓部１７側において鍔状に張り出すフランジ部１５が形成されている。該フランジ部１５は、前記コイルスプリング１３のスプリングシートとしてゴム製の閉塞部材１２との接触による閉塞部材１２の損傷を防止して確実に付勢力を付与し、且つ、前述したように外筒８の挿着部１１の内周に突設された規制凸部１６に突き当って閉塞部材１２の抜け出しを防止する。該圧接部材１４によって、管体密着部１８と管体５との液密状態が維持され、閉塞部材１２の進退移動時の液漏れを確実に防止することができる。
【００２２】
以上の構成からなる継ぎ手装置１によれば、図５に示すように、前記外筒８の挿着部１１に図示しないシリンジやチューブの先端に設けられた接続端部１０を挿着したとき、該接続端部１０に押圧された閉塞部材１２が後退して、挿通孔１９を貫通した管体５の各連通孔６の開口部７が開放され、接続端部１０と３方活栓２のポート３とが管体５を介して連通する。
【００２３】
このとき、接続端部１０から管体５に向かって薬液が注入されると、管体５が各連通孔６を備えて薬液の流量が制限されることによって、薬液が３方活栓２内に急激に注入されることが防止される。また、薬液の流量が管体５により制限されると、管体５の周囲の液圧が上昇し、閉塞部材１２と管体５との間に薬液が侵入しようとするが、該閉塞部材１２の管体密着部１８が前記圧接部材１４により管体５に圧接されていることにより、管体密着部１８と管体５との間への薬液の侵入が防止される。
【００２４】
その後、前記外筒８の挿着部１１から接続端部１０を引き抜いたときには、コイルスプリング１３の付勢力によって閉塞部材１２が前進し、管体５が挿通孔１９から抜けた時点で、該管体５の各連通孔６の開口部７が閉塞される。
【００２５】
次に、本発明の他の実施形態を説明する。図６及び図７に示すように、他の実施形態の継ぎ手装置２１は、前述した実施形態と同様に、３方活栓２の一つのポート３に設けられているが、前述した実施形態の管体５とは異なる形状の管体２２を備えている。また、前述した実施形態と同様の構成については、図６及び図７において、図１及び図５と同一の符号を付してその説明を省略する。
【００２６】
他の実施形態の継ぎ手装置２１に設けられた管体２２は、図６及び図７に示すように、硬質合成樹脂（例えばポリアセタール）によって形成されており、内部に複数の連通孔２３が形成されている。各連通孔２３は、管体２２の後端から筒状の管体支持部４内に連通されており、該管体２２の先端において、その軸線方向に向って開口する開口部２４が形成されている。
【００２７】
該管体２２は、その外径が後端に向かって次第に拡径するテーパ状に形成されている。該管体２２の後端部には、鍔状に張り出して円筒状の外筒支持部８の端縁に当接された鍔部２５が形成されている。該鍔部２５の後方には、外筒支持部８と管体支持部４との間に介挿して固定する固定脚部２６が一体に連設されている。該鍔部２５は、コイルスプリング１３の後端に当接するスプリングシートとされ、コイルスプリング１３と外筒支持部８との接触による外筒支持部８の損傷を防止する。
【００２８】
このように構成された管体５は、拡径された後端により曲げ強度が向上され、挿通孔１９への管体２２の挿通時に管体２２の折れ曲がり等を確実に防止することができる。
【００２９】
また、図７に示すように、前記外筒８の挿着部１１に図示しないシリンジやチューブの先端に設けられた接続端部１０を挿着したとき、該接続端部１０に押圧された閉塞部材１２が後退すると、該閉塞部材１２の管体密着部１８が管体２２の拡径された部分に圧着され、管体密着部１８と管体２２との密着度合いを向上させることができる。これにより、接続端部１０から管体２２に向かって注入された薬液の流量が、管体２２の各連通孔２３により制限されて管体５の周囲の液圧が上昇しても、管体密着部１８と管体２２との間への薬液の侵入を一層確実に防止することができる。
【図面の簡単な説明】
【図１】本発明の一実施形態の継ぎ手装置を示す説明的断面図。
【図２】管体の断面説明図。
【図３】閉塞部材の栓部の説明的正面図。
【図４】他の閉塞部材の栓部の説明的正面図。
【図５】図１の継ぎ手装置の接続状態を示す説明的断面図。
【図６】他の実施形態の継ぎ手装置を示す説明的断面図。
【図７】図６の継ぎ手装置の接続状態を示す説明的断面図。
【符号の説明】
１，２１…継ぎ手装置、５，２２…管体、６，２３…連通孔、９…外筒、１０…接続端部（被接続物）、１１…接続部、１２…閉塞部材、１３…コイルスプリング（付勢手段）、１４…圧接部材、１７…栓部、１８…管体密着部、１９…挿通孔（閉鎖孔）、２０…スリット（閉鎖孔）。
【図１】
2004344547.tif 000003
【図２】
2004344547.tif 000004
【図３】
2004344547.tif 000005
【図４】
2004344547.tif 000006
【図５】
2004344547.tif 000007
【図６】
2004344547.tif 000008
【図７】
2004344547.tif 000009